(57)【要約】【課題】主に各種電子機器の操作に用いられるリモコン装置に関し、小型化が図れ、誤操作がなく操作の容易なものを提供することを目的とする。【解決手段】複数の方向へ操作可能な操作体１２の操作に応じて、送信機１５からリモコン信号を送信し、中継機２１の表示手段１７に表示されたメニューを選択すると共に、このメニューに応じた制御信号を中継機２１から送信することによって、送信機１５の小型化が図れると共に、誤操作がなく容易に操作が可能なリモコン装置を得ることができる。【選択図】図１
2007173919.tif 000002
【特許請求の範囲】
【請求項１】
複数の方向へ操作可能な操作体を備え、この操作体の操作に応じてリモコン信号を送信する送信機と、上記リモコン信号を受信し、これに応じたメニューを表示手段に表示する中継機からなり、上記操作体の操作によって上記表示手段のメニューを選択すると共に、このメニューに応じた制御信号を上記中継機から送信するリモコン装置。
【請求項２】
操作体の所定方向の操作に応じて、表示手段に表示されたメニューを選択すると共に、上記方向とは異なる方向の操作体の操作に応じて、選択されたメニューに応じた制御信号を中継機から送信する請求項１記載のリモコン装置。
【発明の詳細な説明】
【技術分野】
【０００１】
本発明は、主に各種電子機器の遠隔操作に用いられるリモコン装置に関するものである。
【背景技術】
【０００２】
近年、映像や音響、空調等の各種電子機器の高機能化や多様化が進むなか、これらを遠隔操作するリモコン送信機やリモコン装置においても、多様な操作を容易に行えるものが求められている。
【０００３】
このような従来のリモコン送信機について、図５を用いて説明する。
【０００４】
図５は従来のリモコン送信機の斜視図であり、同図において、１は絶縁樹脂製で略箱型のケース、２はゴム等の複数の操作体で、ケース１上面に形成された複数の開口孔から、複数の操作体２の上面が突出すると共に、ケース１内には、複数の配線パターンが形成された配線基板（図示せず）が収納されている。
【０００５】
そして、この配線基板に実装された発光ダイオード等によって送信手段（図示せず）や、マイコン等の制御手段（図示せず）が形成されると共に、操作体２下面と配線基板上面の間には複数のスイッチ接点（図示せず）が形成されて、リモコン送信機が構成されている。
【０００６】
以上の構成において、例えば、上面に「ＴＶ」が表示された操作体２Ａを押圧操作すると、操作体２Ａが下方へ移動して、この下面のスイッチ接点の電気的接離が行われ、これを制御手段が検出する。
【０００７】
そして、この後、上面に「５」が表示された操作体２Ｂを押圧操作すると、この下面のスイッチ接点の電気的接離が行われ、このスイッチ接点の電気的接離に応じて、制御手段が送信手段から赤外線のリモコン信号をテレビへ送信し、例えば、テレビのチャンネルが「５」に切換わる。
【０００８】
また、例えば、上面に「ＶＴＲ」が表示された操作体２Ｃを押圧操作した後、操作体２Ｄを押圧操作すると、この下面のスイッチ接点の電気的接離が行われ、これに応じたリモコン信号がビデオへ送信されて、ビデオテープの再生や停止等が行われる。
【０００９】
つまり、操作体２Ａや２Ｃ等を操作して、遠隔操作したい機器、例えばテレビやビデオ等を選択した後、操作体２Ｂや２Ｄ等を操作して、選局やビデオテープ再生等の機器の機能を操作することによって、ひとつのリモコン送信機で複数の電子機器の遠隔操作が行えるように構成されているものであった。
【００１０】
なお、この出願の発明に関連する先行技術文献情報としては、例えば、特許文献１が知られている。
【特許文献１】特開２００５−２２３３８６号公報
【発明の開示】
【発明が解決しようとする課題】
【００１１】
しかしながら、上記従来のリモコン送信機においては、遠隔操作する電子機器が増えるに従い、機器を選択する操作体も、選局等の機能を切換える操作体も多くなり、全体が大きなものになると共に、どの操作体がどの機器のどの機能を操作するものなのかが判りづらくなるため、操作が煩雑となり、誤操作も生じ易くなってしまうという課題があった。
【００１２】
本発明は、このような従来の課題を解決するものであり、送信機の小型化が図れると共に、誤操作がなく操作の容易なリモコン装置を提供することを目的とする。
【課題を解決するための手段】
【００１３】
上記目的を達成するために本発明は、以下の構成を有するものである。
【００１４】
本発明の請求項１に記載の発明は、複数の方向へ操作可能な操作体を備え、この操作体の操作に応じてリモコン信号を送信する送信機と、このリモコン信号を受信し、これに応じたメニューを表示手段に表示する中継機を設け、操作体の操作によって表示手段のメニューを選択すると共に、このメニューに応じた制御信号を中継機から送信するようにしてリモコン装置を構成したものであり、一つの操作体から送信機を形成することによって、送信機の小型化が図れると共に、送信機の操作によって表示手段のメニューを選択し、中継機から制御信号を送信することによって、誤操作がなく容易に操作が可能なリモコン装置を得ることができるという作用を有する。
【００１５】
請求項２に記載の発明は、請求項１記載の発明において、操作体の所定方向の操作に応じて、表示手段に表示されたメニューを選択すると共に、上記方向とは異なる方向の操作体の操作に応じて、選択されたメニューに応じた制御信号を中継機から送信するものであり、例えば、操作体の回転操作によってチャンネル等の操作機能を選択した後、押圧操作によって機器のチャンネルを実際に切換える等、さらに誤操作がなく、容易に操作を行うことができるという作用を有する。
【発明の効果】
【００１６】
以上のように本発明によれば、小型化が図れ、誤操作がなく操作の容易なリモコン装置を実現できるという有利な効果が得られる。
【発明を実施するための最良の形態】
【００１７】
以下、本発明の実施の形態について、図１〜図４を用いて説明する。
【００１８】
（実施の形態）
図１は本発明の一実施の形態によるリモコン装置のブロック回路図、図２は同斜視図であり、同図において、１１はＡＢＳやポリスチレン等の絶縁樹脂製で略箱型のケースで、この上面の開口孔からは、前後左右方向へ回転、及び上下方向へ押圧操作可能な球状の操作体１２が突出している。
【００１９】
そして、ケース１１内には、この操作体１２の回転を検知する磁気や光等のセンサ、及び押圧によって電気的接離を行うスイッチ接点（図示せず）等が内蔵されると共に、発光ダイオード等によって送信手段１３が形成され、これらがマイコン等によって形成された制御手段１４に電気的に接続されて、送信機１５が構成されている。
【００２０】
また、１６はＡＢＳやポリスチレン等の絶縁樹脂製の筐体で、この前面には液晶表示素子等の表示手段１７が設けられると共に、筐体１６内には、表示手段１７下方に設けられた受光器等の受信手段１８や、発光ダイオード等の送信手段１９が形成され、これらがマイコン等によって形成された制御手段２０に電気的に接続されて、中継機２１が形成されている。
【００２１】
そして、この中継機２１が、テレビやビデオ等の電子機器と送信機１５の間の、例えばテーブルの上等に配置されて、リモコン装置が構成されている。
【００２２】
以上の構成において、図２に示すように、中継機２１の表示手段１７にメインメニューの「ＴＶ」と「ＶＴＲ」が表示された状態で、送信機１５を中継機２１に向け、例えば、操作体１２を前後方向へ回転操作すると、この操作体１２の操作を制御手段１４が検出し、この操作に応じた赤外線のリモコン信号が送信手段１３から中継機２１へ送信される。
【００２３】
そして、このリモコン信号を中継機２１の受信手段１８が受信すると、これを検出した制御手段２０が、表示手段１７に表示されたカーソルＡを、例えば上下方向へ、操作体１２が回転操作された分だけ移動させる。
【００２４】
この時、例えば、テレビを遠隔操作したい場合には、カーソルＡが「ＴＶ」に移動した状態で、送信機１５の操作体１２を下方へ押圧操作すると、この操作を制御手段１４が検出し、これに応じたリモコン信号が中継機２１へ送信される。
【００２５】
そして、このリモコン信号を受信手段１８が受信し、制御手段２０が検出すると、制御手段２０が中継機２１の表示手段１７に、図３の斜視図に示すような、テレビの操作機能のサブメニューを表示させる。
【００２６】
この後、操作体１２を再び前後及び左右方向へ回転操作し、例えば、表示手段１７に表示されたカーソルＡを「５」に移動した状態で、操作体１２を押圧操作すると、このリモコン信号を制御手段２０が検出して送信手段１９から、選択されたメニューに応じた赤外線の制御信号をテレビへ送信し、例えば、テレビのチャンネルが「５」に切換わる。
【００２７】
なお、図２の状態で、テレビではなく、操作体１２の回転操作で「ＶＴＲ」を選択し、操作体１２を押圧操作した場合には、図３のテレビの操作機能ではなく、図４の斜視図に示すように、ビデオテープの再生や停止等といったビデオに関する操作機能が、サブメニューとして中継機２１の表示手段１７に表示されるようになっている。
【００２８】
そして、操作体１２を回転操作してカーソルＡを移動し、サブメニューを選択した後、操作体１２を押圧操作すると、中継機２１から制御信号がビデオへ送信され、例えば、ビデオテープの再生が行われる。
【００２９】
つまり、一つの操作体１２を回転操作して、送信機１５からリモコン信号を送信し、中継機２１の表示手段１７に表示されたメニューを選択した後、操作体１２を押圧操作すると、これに応じた制御信号が中継機２１から送信されて、複数の電子機器の遠隔操作が行われるように構成されている。
【００３０】
従って、送信機１５は一つの操作体１２から形成されているため、小さな形状にして小型化が図れると共に、この一つの操作体１２の回転及び押圧操作によって、表示手段１７に表示されたメニューの選択や、中継機２１からの制御信号の送信が行えるため、誤操作がなく操作が容易に行えるようになっている。
【００３１】
また、操作体１２の所定方向の操作、例えば回転操作に応じて、表示手段１７に表示されたカーソルＡを移動してメニューを選択すると共に、これとは異なる方向の操作、例えば押圧操作に応じて、選択されたメニューに応じた制御信号を中継機２１から送信するようになっているため、さらに誤操作がなく、容易に操作を行うことができる構成となっている。
【００３２】
このように本実施の形態によれば、複数の方向へ操作可能な操作体１２の操作に応じて、送信機１５からリモコン信号を送信し、中継機２１の表示手段１７に表示されたメニューを選択すると共に、このメニューに応じた制御信号を中継機２１から送信することによって、送信機１５の小型化が図れると共に、誤操作がなく容易に操作が可能なリモコン装置を得ることができるものである。
【００３３】
そして、操作体１２の所定方向の操作に応じて、表示手段１７に表示されたメニューを選択すると共に、これとは異なる方向の操作に応じて、選択されたメニューに応じた制御信号を中継機２１から送信することによって、例えば、操作体１２の回転操作によってチャンネル等の操作機能を選択した後、押圧操作によって機器のチャンネルを実際に切換える等、さらに誤操作がなく、容易な操作が可能となる。
【００３４】
なお、以上の説明では、送信機１５に、前後左右方向へ回転、及び上下方向へ押圧操作可能な球状の操作体１２を用いた構成について説明したが、棒状のスティックを前後左右方向へ揺動、及び上下方向へ押圧操作して、各方向のスイッチ接点の電気的接離を行うスティック方式のものや、平板状のシートを押圧操作し、下面の電極の電気的接離や静電容量の変化によって、操作位置を検出するタッチパネル方式のもの等、その他の様々な複数方向へ操作可能な操作体を用いても、本発明の実施は可能である。
【００３５】
また、以上の説明では、テレビやビデオ等、遠隔操作する機器をメインメニューとして選択し、この後、その機器の操作機能をサブメニューとして選択する構成について説明したが、例えば、「画質」等の機能をメインメニューとして選択した後、サブメニューとして「明るさ」「コントラスト」等のさらに詳細な機能が表示手段１７に表示され、これらを選択する構成としてもよい。
【産業上の利用可能性】
【００３６】
本発明によるリモコン装置は、小型化が図れると共に、誤操作がなく操作の容易なものが得られ、主に各種電子機器の操作用として有用である。
【図面の簡単な説明】
【００３７】
【図１】本発明の一実施の形態によるリモコン装置のブロック回路図
【図２】同斜視図
【図３】同中継機の斜視図
【図４】同中継機の斜視図
【図５】従来のリモコン送信機の斜視図
【符号の説明】
【００３８】
１１  ケース
１２  操作体
１３  送信手段
１４  制御手段
１５  送信機
１６  筐体
１７  表示手段
１８  受信手段
１９  送信手段
２０  制御手段
２１  中継機
【図１】
2007173919.tif 000003
【図２】
2007173919.tif 000004
【図３】
2007173919.tif 000005
【図４】
2007173919.tif 000006
【図５】
2007173919.tif 000007